(57)【要約】  アダプティブＨＡＲＱとノンアダプティブＨＡＲＱとを組み合わせた再送方法において、スケジューリング情報の受信に失敗した場合でも、送信パケットの衝突発生率を低減する無線送信装置及び無線送信方法を提供すること。ＳＴ３０１では、リソース制御部（２０６）は、基地局（１００）から送信されたリソース割当情報及びスケジューリングタイミング情報を記憶し、ＳＴ３０２では、スケジューリング情報を取得したか否かを判定する。ＳＴ３０３では、アダプティブＨＡＲＱを適用する。ＳＴ３０４では、ＳＴ３０２において取得できなかったスケジューリング情報がスケジューリングタイミング情報の示すタイミングにおいて取得できなかったのか否かを判定する。ＳＴ３０５では、リソース制御部（２０６）は、パケットの送信停止を指示する。ＳＴ３０６では、リソース制御部（２０６）は、ノンアダプティブＨＡＲＱを適用する。
2010035496.tif 000002
【特許請求の範囲】
【請求項１】
スケジューリング情報を取得するタイミングと前記スケジューリング情報の取得の有無とに基づいて、リソースを制御するリソース制御情報を生成するリソース制御手段と、
前記リソース制御情報に基づいて、リソースを選択するリソース選択手段と、
選択された前記リソースを用いてデータを送信する送信手段と、
を具備し、
前記リソース制御手段は、前記タイミングにおいて前記スケジューリング情報が取得されない場合、前記データの送信停止を指示する無線送信装置。
【請求項２】
前記リソース制御手段は、Ｎ回目の再送において前記スケジューリング情報を取得する請求項１に記載の無線送信装置。
【請求項３】
前記リソース制御手段は、送信するデータのトランスポートブロックサイズと関連付けられた前記タイミングにおいて、前記スケジューリング情報が取得されない場合、前記データの送信停止を指示する請求項１に記載の無線送信装置。
【請求項４】
前記リソース制御手段は、送信するデータのＱｏＳディレイと関連付けられた前記タイミングにおいて、前記スケジューリング情報が取得されない場合、前記データの送信停止を指示する請求項１に記載の無線送信装置。
【請求項５】
前記リソース制御手段は、送信するデータに対する周波数ホッピングの有無と関連付けられた前記タイミングにおいて、前記スケジューリング情報が取得されない場合、前記データの送信停止を指示する請求項１に記載の無線送信装置。
【請求項６】
前記リソース制御手段は、送受信間のパスロスと関連付けられた前記タイミングにおいて、前記スケジューリング情報が取得されない場合、前記データの送信停止を指示する請求項１に記載の無線送信装置。
【請求項７】
スケジューリング情報を取得するタイミングと前記スケジューリング情報の取得の有無とに基づいて、リソースを制御するリソース制御情報を生成するリソース制御工程と、
前記リソース制御情報に基づいて、リソースを選択するリソース選択工程と、
選択された前記リソースを用いてデータを送信する送信工程と、
を具備し、
前記リソース制御工程は、前記タイミングにおいて前記スケジューリング情報が取得されない場合、前記データの送信停止を指示する無線送信方法。
【発明の詳細な説明】
【技術分野】
【０００１】
本発明は、アダプティブＨＡＲＱ（adaptive Hybrid Auto Repeat reQuest）とノンアダプティブＨＡＲＱ（non-adaptive Hybrid Auto Repeat reQuest）とを組み合わせた再送方法を用いた無線送信装置及び無線送信方法に関する。
【背景技術】
【０００２】
誤り制御技術の一つとして、ＨＡＲＱがある。ＨＡＲＱは、送信側が誤ったパケットを再送し、受信側において受信済みパケットと再送パケットとを合成することにより、誤り訂正能力を向上させ、高品質伝送を実現する技術である。このＨＡＲＱ技術は、ＨＳＤＰＡ（High Speed Downlink Packet Access）及びＬＴＥ（Long Term Evolution）において採用されている。【０００３】
ＨＡＲＱの方法として、アダプティブＨＡＲＱ（adaptive HARQ）とノンアダプティブＨＡＲＱ（non-adaptive HARQ）とが検討されている。アダプティブＨＡＲＱは、再送パケットを任意のリソースに割り当てる方法である。一方、ノンアダプティブＨＡＲＱは、再送パケットを予め定められているリソースに割り当てる方法である。【０００４】
アダプティブＨＡＲＱは、送信時の伝搬路品質の良いリソースにパケットを割り当てるので、パケットの誤り率を改善することができ、再送回数を低減させることができる。逆に、任意のリソースにパケットを割り当てるため、パケット送信毎にパケットの割り当てリソース位置を通知するためのシグナリングが必要となり、シグナリングオーバーヘッドが増大するという問題がある。【０００５】
一方、ノンアダプティブＨＡＲＱは、予め定められているリソースにパケットを割り当てるので、送信時の伝搬路品質は必ずしも良いとはいえず、平均的なパケットの誤り率となるため、再送回数が増加する傾向となる。逆に、予め定められたリソースにパケットを割り当てるため、パケット送信毎にパケットの割り当てリソース位置を通知する必要がなく、シグナリングオーバーヘッドが小さいという利点がある。【０００６】
このように、アダプティブＨＡＲＱとノンアダプティブＨＡＲＱとの間には、再送回数とシグナリングオーバーヘッドに関してトレードオフの関係がある。そこで、このトレードオフの関係を解決する方法として、アダプティブＨＡＲＱとノンアダプティブＨＡＲＱとを組み合わせたセミアダプティブＨＡＲＱ（semi-adaptive HARQ）が提案されている。【０００７】
ここで、セミアダプティブＨＡＲＱについて、上り回線のパケット伝送を想定して説明する。セミアダプティブＨＡＲＱでは、基地局は、リソース割り当てを変更したい場合にのみ、リソースの位置、すなわち、スケジューリング情報を通知するためのシグナリングを実施する。移動局（以下、「ＵＥ：User Equipment」という）は、基地局からのシグナリングを受信できなければ、自局宛のスケジューリング情報が基地局より送信されなかったと判断し、予め定められているリソースでパケットを送信する。一方、基地局からのシグナリングを受信できた場合、ＵＥはシグナリングによって通知されたリソース位置でパケットを送信する。つまり、ＵＥは基地局からのシグナリングの有無に応じて、アダプティブＨＡＲＱとノンアダプティブＨＡＲＱとを切り替えることとなる。【０００８】
このように、セミアダプティブＨＡＲＱにより、基地局は必要に応じてシグナリングを送信し、パケットの割り当てリソース位置を変更すればよいため、少ないシグナリングオーバーヘッドで再送回数を低減することが可能となる。
【先行技術文献】
【非特許文献】
【０００９】
【非特許文献１】3GPP TS 36.300 V8.3.0 Technical Specification Group Radio Access Network; E-UTRA and E-UTRAN; Overall description; Stage 2 (Release 8), "11 Scheduling and Rate Control"
【発明の概要】
【発明が解決しようとする課題】
【００１０】
しかしながら、上述した技術では、ＵＥがリソース割り当て用シグナリングの受信に失敗した場合、予め定められたリソースでパケットを送信するため、他のＵＥが同じリソースを使用してパケットを送信した場合、パケットの衝突が発生するという問題がある。【００１１】
本発明の目的は、アダプティブＨＡＲＱとノンアダプティブＨＡＲＱとを組み合わせた再送方法において、スケジューリング情報の受信に失敗した場合でも、送信パケットの衝突発生率を低減する無線送信装置及び無線送信方法を提供することである。
【課題を解決するための手段】
【００１２】
本発明の無線送信装置は、スケジューリング情報を取得するタイミングと前記スケジューリング情報の取得の有無とに基づいて、リソースを制御するリソース制御情報を生成するリソース制御手段と、前記リソース制御情報に基づいて、リソースを選択するリソース選択手段と、選択された前記リソースを用いてデータを送信する送信手段と、を具備し、前記リソース制御手段は、前記タイミングにおいて前記スケジューリング情報が取得されない場合、前記データの送信停止を指示する構成を採る。【００１３】
本発明の無線送信方法は、スケジューリング情報を取得するタイミングと前記スケジューリング情報の取得の有無とに基づいて、リソースを制御するリソース制御情報を生成するリソース制御工程と、前記リソース制御情報に基づいて、リソースを選択するリソース選択工程と、選択された前記リソースを用いてデータを送信する送信工程と、を具備し、前記リソース制御工程は、前記タイミングにおいて前記スケジューリング情報が取得されない場合、前記データの送信停止を指示するようにした。
【発明の効果】
【００１４】
本発明によれば、アダプティブＨＡＲＱとノンアダプティブＨＡＲＱとを組み合わせた再送方法において、スケジューリング情報の受信に失敗した場合でも、送信パケットの衝突発生率を低減することができる。
【図面の簡単な説明】
【００１５】
【図１】本発明の実施の形態１に係る基地局の構成を示すブロック図
【図２】本発明の実施の形態１に係るＵＥの構成を示すブロック図
【図３】図２に示したリソース制御部の動作手順を示すフロー図
【図４】図１に示した基地局と図２に示したＵＥとの動作の説明に供する図
【図５】図１に示した基地局と図２に示したＵＥとのその他の動作の説明に供する図
【図６】本発明の実施形態２に係る基地局の構成を示すブロック図
【図７】本発明の実施の形態２に係るＵＥの構成を示すブロック図
【図８】スケジューリング情報のシグナリングタイミングを示す図
【図９】ノンアダプティブＨＡＲＱを適用する様子を示す図
【発明を実施するための形態】
【００１６】
以下、本発明の実施の形態について、図面を参照して詳細に説明する。ただし、実施の形態において、同一機能を有する構成には、同一符号を付し、重複する説明は省略する。
【００１７】
（実施の形態１）
本発明の実施の形態１に係る基地局装置（以下、単に「基地局」という）１００の構成について図１を用いて説明する。図１は、本発明の実施の形態１に係る基地局１００の構成を示すブロック図である。図１において、無線受信部１０２は、ＵＥから送信された信号をアンテナ１０１から受信し、受信した信号にダウンコンバート、Ａ／Ｄ変換等の受信処理を施して復調部１０３に出力する。また、受信信号に含まれる受信品質測定用の参照信号を受信品質測定部１０７に出力する。
【００１８】
復調部１０３は、無線受信部１０２から出力された信号に復調処理を施し、復調結果を復号化部１０４に出力する。復号化部１０４は、復調部１０３から出力された復調結果にターボ復号、畳み込み符号の最尤復号などの誤り訂正復号化を施して復号データを取得し、復号データを誤り検出部１０５に出力する。また、後述する誤り検出部１０５から誤りなしを示す検出結果を取得した場合、復号データを受信データとして出力する。
【００１９】
誤り検出部１０５は、復号化部１０４から出力された復号データに付加されているＣＲＣ（Cyclic Redundancy Check）符号などから復号データ（パケット）が誤っているか否かを検出し、検出結果を復号化部１０４及び応答信号生成部１０６に出力する。
【００２０】
応答信号生成部１０６は、誤り検出部１０５から出力された検出結果が誤りありを示す場合はＮＡＣＫを、検出結果が誤りなしを示す場合はＡＣＫをそれぞれ生成し、ＡＣＫ又はＮＡＣＫを変調部１１１に出力する。
【００２１】
受信品質測定部１０７は、無線受信部１０２から出力された受信品質測定用の参照信号に基づいて、パケットを送信可能なリソースのＳＩＮＲ（Signal to Interference and Noise Ratio）などの受信品質を測定し、測定結果をスケジューリング部１０９に出力する。
【００２２】
シグナリングタイミング決定部１０８は、基地局１００がＵＥにスケジューリング情報を通知するタイミング（シグナリングタイミング）をＵＥの移動速度、トランスポートブロックサイズ（ＴＢＳ:Transport Block Size）、ＱｏＳなどのパケット情報から決定し、決定したシグナリングタイミングをスケジューリング部１０９に出力すると共に、シグナリングタイミングをスケジューリングタイミング情報として符号化部１１０に出力する。
【００２３】
スケジューリング部１０９は、ノンアダプティブＨＡＲＱ及びアダプティブＨＡＲＱの機能を備え、シグナリングタイミング決定部１０８から出力されたシグナリングタイミングに従って、ノンアダプティブＨＡＲＱとアダプティブＨＡＲＱとを切り替える。なお、スケジューリング部１０９が任意のタイミングを決定し、決定したタイミングでノンアダプティブＨＡＲＱとアダプティブＨＡＲＱとを切り替えてもよい。
【００２４】
ノンアダプティブＨＡＲＱを適用した場合、各ＵＥが送信する再送パケットのリソースが予め決定されているため、スケジューリング部１０９は、リソース割当情報を出力しない。ただし、リソース割当情報は、再送のプロセスが開始する前にＵＥに通知される。
【００２５】
一方、アダプティブＨＡＲＱを適用した場合、スケジューリング部１０９は、受信品質測定部１０７から出力された受信品質測定結果に基づいて、各ＵＥが送信するパケットのリソースを決定し、決定したリソースをスケジューリング情報として符号化部１１０に出力する。ただし、スケジューリング情報は、ＵＥを識別する識別子（ＵＥ ＩＤ）が多重され、再送パケット毎にＵＥに通知される。
【００２６】
符号化部１１０は、シグナリングタイミング決定部１０８からスケジューリングタイミング情報が出力された場合、スケジューリングタイミング情報にターボ符号又は畳み込み符号などの誤り訂正符号化を施す。また、符号化部１１０は、スケジューリング部１０９からスケジューリング情報が出力された場合、スケジューリング情報にターボ符号又は畳み込み符号などの誤り訂正符号化を施す。符号化部１１０は、これらにより得られた符号化データを変調部１１１に出力する。
【００２７】
変調部１１１は、符号化部１１０から出力された符号化データにＱＰＳＫ又は１６ＱＡＭなどの変調処理を施し、変調信号を無線送信部１１２に出力する。無線送信部１１２は、変調部１１１から出力された変調信号にＤ／Ａ変換、アップコンバート、増幅等の送信処理を施し、送信処理を施した信号をアンテナ１０１から無線送信する。
【００２８】
次に、本発明の実施の形態１に係るＵＥ２００の構成について図２を用いて説明する。図２は、本発明の実施の形態１に係るＵＥ２００の構成を示すブロック図である。図２において、無線受信部２０２は、基地局１００から送信された制御信号をアンテナ２０１から受信し、受信した制御信号にダウンコンバート、Ａ／Ｄ変換等の受信処理を施して復調部２０３に出力する。
【００２９】
復調部２０３は、無線受信部２０２から出力された制御信号に復調処理を施し、復調結果を復号化部２０４に出力する。復号化部２０４は、復調部２０３から出力された復調結果にターボ復号、畳み込み符号の最尤復号などの誤り訂正復号化を施して復号データを取得し、取得した復号データのうち、アダプティブＨＡＲＱの適用時に含まれるスケジューリング情報を識別部２０５に出力する。一方、取得した復号データのうち、ノンアダプティブＨＡＲＱの適用時に用いられる予め定められたリソース割当情報及びスケジューリングタイミング情報をリソース制御部２０６に出力する。
【００３０】
識別部２０５は、復号化部２０４から出力されたスケジューリング情報が自局宛の情報か否かをスケジューリング情報に多重されている識別子（ＵＥ ＩＤ）に基づいて判別する。スケジューリング情報が自局宛であると判別すれば、スケジューリング情報をリソース制御部２０６に出力する。
【００３１】
リソース制御部２０６は、復号化部２０４から出力されたノンアダプティブＨＡＲＱ用の予め定められたリソース割当情報及びスケジューリングタイミング情報と、識別部２０５から出力されたアダプティブＨＡＲＱ用のスケジューリング情報とに従って、パケットのリソース割り当て位置、またはパケットの送信停止を決定し、決定した内容を示すリソース制御情報を生成してリソース選択部２０９に出力する。
【００３２】
具体的には、スケジューリング情報を取得するタイミング以外で識別部２０５からスケジューリング情報が出力されない場合、リソース制御部２０６は、ノンアダプティブＨＡＲＱを適用し、予め定められているリソース割当情報をリソース選択部２０９に出力する。また、識別部２０５からスケジューリング情報が出力された場合、リソース制御部２０６は、アダプティブＨＡＲＱを適用し、スケジューリング情報によって指示されたリソースをリソース選択部２０９に出力する。さらに、スケジューリング情報を取得するタイミングで識別部２０５からスケジューリング情報が出力されない場合、パケットの送信停止を指示するリソース制御情報をリソース選択部２０９に出力する。
【００３３】
符号化部２０７は、送信データにターボ符号又は畳み込み符号などの誤り訂正符号化を施し、符号化データを変調部２０８に出力する。変調部２０８は、符号化部２０７から出力された符号化データにＱＰＳＫ又は１６ＱＡＭなどの変調処理を施し、変調信号をリソース選択部２０９に出力する。
【００３４】
リソース選択部２０９は、リソース制御部２０６から出力されたリソース制御情報に基づいて、変調部２０８から出力された変調信号を割り当てるリソースを選択し、選択したリソースに変調信号を割り当てて無線送信部２１０に出力する。
【００３５】
無線送信部２１０は、リソース選択部２０９から出力された変調信号にＤ／Ａ変換、アップコンバート、増幅等の送信処理を施し、送信処理を施した信号をアンテナ２０１から無線送信する。
【００３６】
次に、上述したリソース制御部２０６の動作について図３を用いて説明する。図３は、図２に示したリソース制御部２０６の動作手順を示すフロー図である。図３において、ステップ（以下、「ＳＴ」と省略する）３０１では、リソース制御部２０６は、基地局１００から送信されたリソース割当情報及びスケジューリングタイミング情報を取得し、記憶する。
【００３７】
ＳＴ３０２では、リソース制御部２０６が識別部２０５からスケジューリング情報を取得したか否かを判定し、スケジューリング情報を取得した場合（ＹＥＳ）には、ＳＴ３０３に移行し、スケジューリング情報を取得していない場合（ＮＯ）には、ＳＴ３０４に移行する。
【００３８】
ＳＴ３０３では、リソース制御部２０６は、アダプティブＨＡＲＱを適用し、ＳＴ３０２において取得したスケジューリング情報によって指示されたリソースをリソース選択部２０９に通知し、リソース制御部２０６の動作を終了する。
【００３９】
ＳＴ３０４では、ＳＴ３０２において取得できなかったスケジューリング情報がＳＴ３０１において記憶したスケジューリングタイミング情報の示すタイミング（スケジューリングタイミング）において取得できなかったのか否かを判定する。スケジューリングタイミングにおいて取得できなかった（ＹＥＳ）場合、ＳＴ３０５に移行し、スケジューリング情報の示すタイミング以外において取得できなかった（ＮＯ）場合、ＳＴ３０６に移行する。
【００４０】
ＳＴ３０５では、リソース制御部２０６は、パケットの送信停止の指示をリソース選択部２０９に通知し、リソース制御部２０６の動作を終了する。
【００４１】
ＳＴ３０６では、リソース制御部２０６は、ノンアダプティブＨＡＲＱを適用し、ＳＴ３０１において記憶したリソースをリソース選択部２０９に通知し、リソース制御部２０６の動作を終了する。
【００４２】
次に、図１に示した基地局１００と図２に示したＵＥ２００との動作について図４を用いて説明する。まず、図４（ａ）は、セミアダプティブＨＡＲＱにおけるパケットの衝突発生率を示している。ここでは、横軸は時間（ｔ）を表し、縦軸は衝突発生率を表している。図４（ａ）に示すように、パケットの衝突発生率は時間的に一様ではなく、再送回数に応じて異なる。衝突発生率が高くなるタイミングは、シグナリングによってリソースを割り当ててから一定時間経過した後である。すなわち、再度リソース割り当てが必要となる再送回数Ｎ（図４（ａ）ではＮ＝２）回後である。これは、シグナリングによるリソース割り当ては、一般にパケット送信時に想定される伝搬路品質や複数ＵＥの割り当て状況に基づいて、その時点で最適となるように実施されるためである。
【００４３】
ここで、パケット誤りが発生し、再送となった場合には、リソースを割り当てた時点から時間が経過しており、伝搬路の時間変動により、リソース割り当て時の伝搬路品質と現時点での伝搬路品質とが乖離している。このため、一定時間経過後にリソースを再割り当てする必要がでてくる。このリソースの再割り当て時に、リソース通知用のシグナリングが複数ＵＥで集中することとなる。従って、このタイミングでは、シグナリングを受信すべきＵＥ数が増加するので、これに伴い、シグナリングの受信に失敗するＵＥ数も増加し、パケットの衝突発生率が増加する。
【００４４】
図４（ｂ）は、複数のＵＥがパケット送信に用いた周波数及び時間リソースを示している。ここでは、ＵＥ＃ＡとＵＥ＃Ｂの２つのＵＥについて図示している。また、周波数リソースはＲＢ（Resource Block）＃１とＲＢ＃２を使用することとし、時間リソースは初回送信タイミング、再送１回目、再送２回目のタイミングを使用することとする。なお、再送はＲＴＴ（Round Trip Time）間隔で行われるものとする。
【００４５】
基地局は、ＵＥ＃Ａに対して予めＲＢ＃１を再送用リソースとして割り当てておき、リソース割当情報を予めＵＥ＃Ａに通知しておく。同様に、ＵＥ＃Ｂに対して予めＲＢ＃２を再送用リソースとして割り当てておき、リソース割当情報を予めＵＥ＃Ｂに通知しておく。さらに、基地局は、再送２回目のタイミングでスケジューリング情報（grant）を通知することとし、このタイミングをＵＥ＃ＡとＵＥ＃Ｂに予め通知しておく。
【００４６】
再送１回目のタイミングでは、ＵＥ＃Ａ及びＵＥ＃Ｂは、基地局からスケジューリング情報が通知されないので、予め通知されたリソース割当情報に従ってパケットを送信する。なお、基地局からスケジューリング情報が通知された場合には、スケジューリング情報に従ってパケットを送信する。
【００４７】
続いて、再送２回目のタイミングでは、基地局はスケジューリング情報をシグナリングする。ここで、基地局は、ＵＥ＃Ａに対してはＲＢ＃２を、一方、ＵＥ＃Ｂに対してはＲＢ＃１を割り当て直したとする。ＵＥ＃Ａ及びＵＥ＃Ｂは、スケジューリング情報が通知されることを予め知っているので、基地局から通知されるスケジューリング情報に従ってパケットを送信する。ここでは、ＵＥ＃Ｂは正しくスケジューリング情報を受信できたとし、ＲＢ＃１でパケットを送信する。一方、ＵＥ＃Ａはスケジューリング情報の受信に失敗したとし、パケットの送信を停止する。
【００４８】
このように実施の形態１によれば、スケジューリング情報のシグナリングタイミングを基地局からＵＥに予め通知しておき、ＵＥは通知されたシグナリングタイミングにおいてスケジューリング情報の受信に失敗した場合、パケットの送信を停止することにより、他ＵＥの送信パケットとの衝突を回避することができる。
【００４９】
なお、再送回数が増加するにつれて、再送パケット数は減少していくので、各ＵＥに送信するスケジューリング情報のシグナリングも減少していく。そこで、予め通知されたタイミングより早いタイミング（通知されたタイミングは含まない）において、スケジューリング情報を識別できた場合、ＵＥ２００のリソース制御部２０６は、スケジューリング情報に従ってパケットを送信するよう制御する。また、スケジューリング情報を識別できなかった場合、リソース制御部２０６は、予め通知されているリソースに従ってパケットを送信するよう制御する。さらに、リソース制御部２０６は、予め通知されているタイミング以降（通知されたタイミングを含む）において、スケジューリング情報を識別できなかった場合には、パケットの送信を停止するよう制御する。
【００５０】
ここで、図５を用いて具体的に説明する。図５（ａ）は、再送回数が増加するにつれて、再送パケット数が減少していくことを示している。また、図５（ｂ）は、ＵＥがパケットの送信に用いた周波数及び時間リソースと、スケジューリング情報（grant）の有無とを示している。
【００５１】
基地局１００は、再送用リソースをＵＥ１００に割り当てておき、リソース割当情報をＵＥ２００に予め通知しておく。さらに、基地局１００は、再送Ｍ回目以降のタイミングでスケジューリング情報を通知することとし、このタイミングをＵＥ２００に予め通知しておく。
【００５２】
再送Ｍ回目より早いタイミングでは、基地局１００からスケジューリング情報が通知された場合には、ＵＥ２００はスケジューリング情報に従ってパケットを送信する。図５の場合、再送１回目ではスケジューリング情報が通知されており、再送Ｍ−１回目ではスケジューリング情報が通知されていない。
【００５３】
一方、再送Ｍ回目以降のタイミングでは、基地局１００はスケジューリング情報をシグナリングする。ＵＥ２００は、スケジューリング情報が通知されることを予め知っているので、基地局１００から通知されるスケジューリング情報に従ってパケットを送信する。なお、基地局１００から通知されるスケジューリング情報の受信に失敗した場合、ＵＥ２００はパケットの送信を停止する。
【００５４】
このように、再送パケットが減少していく期間にスケジューリング情報のシグナリングを設定することにより、シグナリングオーバーヘッドの増加を抑制すると共に、ＵＥの送信パケットの衝突回数を低減することができる。
【００５５】
（実施の形態２）
本発明の実施の形態２に係る基地局４００の構成について図６を用いて説明する。図６は、本発明の実施形態２に係る基地局４００の構成を示すブロック図である。図６が図１と異なる点は、シグナリングタイミング決定部１０８をシグナリングタイミング決定部４０１に変更した点である。
【００５６】
シグナリングタイミング決定部４０１は、スケジューリング情報のシグナリングタイミングを送信パケットのトランスポートブロックサイズ（ＴＢＳ:Transport Block Size）、ＱｏＳディレイ、周波数ホッピングの有無、送受信間のパスロスなどのパラメータと関連付けておき、これらのパラメータに基づいて、シグナリングタイミングを決定する。決定されたシグナリングタイミングはスケジューリング部１０９に出力される。
【００５７】
なお、シグナリングタイミング決定部４０１は、実施の形態１に係る基地局１００のシグナリングタイミング決定部１０８とは異なり、シグナリングタイミング（スケジューリングタイミング情報）を符号化部１１０に出力しない。すなわち、本実施の形態に係る基地局４００は、スケジューリングタイミング情報をＵＥに明示的に通知しない。
【００５８】
本発明の実施の形態２に係るＵＥ５００の構成について図７を用いて説明する。図７は、本発明の実施の形態２に係るＵＥ５００の構成を示すブロック図である。図７が図２と異なる点は、シグナリングタイミング決定部５０１を追加した点である。
【００５９】
シグナリングタイミング決定部５０１は、基地局４００のシグナリングタイミング決定部４０１と同様の機能を有し、スケジューリング情報のシグナリングタイミングを送信パケットのＴＢＳ、ＱｏＳディレイ、周波数ホッピングの有無、送受信間のパスロスなどのパラメータと関連付けておき、これらのパラメータに基づいて、シグナリングタイミングを決定する。決定されたシグナリングタイミングはリソース制御部２０６に出力される。
【００６０】
なお、シグナリングタイミング決定部４０１、５０１は、スケジューリング情報のシグナリングタイミングと、送信パケットのＴＢＳ，ＱｏＳディレイ、周波数ホッピングの有無及び送受信間のパスロスのうちいずれか（１つでもよいし、１つに限らなくてもよい）とを関連付けておけばよい。
【００６１】
次に、上述したシグナリングタイミング決定部４０１、５０１において、シグナリングタイミングと関連付けた各種パラメータについて具体的に説明する。まず、送信パケットのＴＢＳについて説明する。ＴＢＳが大きい、つまり、１パケット当たりの送信データ量が多いパケットを送信するＵＥには、初回送信時のシグナリングから再送時のスケジューリング情報のシグナリングまでの時間間隔を短く設定する。一方、ＴＢＳが小さい、つまり、１パケット当たりの送信データ量が少ないパケットを送信するＵＥには、初回送信時のシグナリングから再送時のスケジューリング情報のシグナリングまでの時間間隔を長く設定する。ここで、上記ＴＢＳの大小は、両者を比較した場合の相対的な大小を示している。同様に、上記時間間隔の長短も両者を比較した場合の相対的な長短を示している。このように設定する理由は以下の通りである。
【００６２】
ＴＢＳが大きい場合、１パケット送信当たりに使用するリソース量が多くなるので、送信時間単位（例えば、サブフレーム（sub-frame））当たりの送信可能なパケット数が少なくなる。その結果、システムにおけるスケジューリング情報のシグナリング数が少なくなる。従って、スケジューリング情報のシグナリング間隔を短く設定できる。また、ＴＢＳが大きいパケットは、システムスループットに与える影響が大きいので、伝搬路変動に対する適応度を上げる。すなわち、スケジューリング情報のシグナリング間隔を短く設定し、伝搬路変動に追従させて適切なリソース割り当てを実施する。これにより、システムスループットを向上させることができる。
【００６３】
一方、ＴＢＳが小さい場合、１パケット送信当たりに使用するリソース量が少なくなるので、送信時間単位当たりの送信可能なパケット数が多くなる。その結果、システムにおけるスケジューリング情報のシグナリング数が多くなり、シグナリング間隔を長く設定する必要がある。
【００６４】
よって、ＴＢＳが大きい場合には、スケジューリング情報のシグナリング間隔を短く設定し、ＴＢＳが小さい場合には、スケジューリング情報のシグナリング間隔を長く設定するというように関連付けておく。このように、スケジューリング情報のシグナリングタイミングをＴＢＳと予め関連付けておくことにより、スケジューリング情報のシグナリングタイミングを通知するためのオーバーヘッドを発生させることなく、パケット間の衝突発生率を低減することができる。
【００６５】
次に、送信パケットのＱｏＳディレイについて説明する。ＱｏＳディレイが小さい、つまり、伝送遅延によりパケットが破棄されるまでの時間が短いパケットを送信するＵＥには、初回送信時のシグナリングから再送時のスケジューリング情報のシグナリングまでの時間間隔を短く設定する。一方、ＱｏＳディレイが大きい、つまり、伝送遅延によりパケットが破棄されるまでの時間が長いパケットを送信するＵＥには、初回送信時のシグナリングから再送時のスケジューリング情報のシグナリングまでの時間間隔を長く設定する。ここで、上記ＱｏＳディレイの大小は、両者を比較した場合の相対的な大小を示している。同様に、上記時間間隔の長短も両者を比較した場合の相対的な長短を示している。このように設定する理由は以下の通りである。
【００６６】
ＱｏＳディレイが小さい場合、伝搬路変動に対する適応度を上げる。すなわち、スケジューリング情報のシグナリング間隔を短く設定し、伝搬路変動に追従させて適切なリソース割り当てを実施する。これにより、再送回数が減少し、要求遅延を超えてパケットが破棄される確率が下がるので、システムスループットを向上させることができる。
【００６７】
一方、ＱｏＳディレイが大きい場合、パケットが破棄されるまでの時間が長いので、再送回数の増加にも耐え得る可能性が高い。すなわち、スケジューリング情報のシグナリング間隔を長く設定することができる。従って、前記ＱｏＳディレイが小さい場合と組み合わせると、スケジューリング情報のシグナリングオーバーヘッドを分散させることができる。
【００６８】
よって、ＱｏＳディレイが大きい場合には、スケジューリング情報のシグナリング間隔を長く設定し、ＱｏＳディレイが小さい場合には、スケジューリング情報のシグナリング間隔を短く設定するというように関連付けておく。このように、スケジューリング情報のシグナリングタイミングをＱｏＳディレイと予め関連付けておくことにより、スケジューリング情報のシグナリングタイミングを通知するためのオーバーヘッドを発生させることなく、パケット間の衝突発生率を低減することができる。
【００６９】
次に、周波数ホッピングの有無について説明する。周波数ホッピングが適用されないＵＥには、初回送信時のシグナリングから再送時のスケジューリング情報のシグナリングまでの時間間隔を短く設定する。一方、周波数ホッピングが適用されるＵＥには、初回送信時のシグナリングから再送時のスケジューリング情報のシグナリングまでの時間間隔を長く設定する。このように設定する理由は以下の通りである。
【００７０】
周波数ホッピングが適用されるＵＥは、平均ＳＩＮＲに基づいて送信パラメータが決定されるので、瞬時的な伝搬路変動に対する適応度を下げる。すなわち、スケジューリング情報のシグナリング間隔を長く設定することができる。従って、周波数ホッピングが適用されない場合と組み合わせると、スケジューリング情報のシグナリングオーバーヘッドを分散させることができる。
【００７１】
一方、周波数ホッピングが適用されないＵＥは、瞬時ＳＩＮＲに基づいて送信パラメータが決定されるので、瞬時的な伝搬路変動に対する適応度を上げる。すなわち、スケジューリング情報のシグナリング間隔を短く設定し、伝搬路変動に追従させて適切なリソース割り当てを実施する。これにより、システムスループットを向上させることができる。
【００７２】
よって、周波数ホッピングが適用される場合には、スケジューリング情報のシグナリング間隔を長く設定し、周波数ホッピングが適用されない場合には、スケジューリング情報のシグナリング間隔を短く設定するというように関連付けておく。このように、スケジューリング情報のシグナリングタイミングを周波数ホッピングの有無と予め関連付けておくことにより、スケジューリング情報のシグナリングタイミングを通知するためのオーバーヘッドを発生させることなく、パケット間の衝突発生率を低減することができる。
【００７３】
次に、送受信間のパスロスについて説明する。パスロスが小さい、つまり、伝搬路の減衰量が小さく高い受信品質でパケットが届くＵＥには、初回送信時のシグナリングから再送時のスケジューリング情報のシグナリングまでの時間間隔を短く設定する。一方、パスロスが大きい、つまり、伝搬路の減衰量が大きく低い受信品質でパケットが届くＵＥには、初回送信時のシグナリングから再送時のスケジューリング情報のシグナリングまでの時間間隔を長く設定する。ここで、上記パスロスの大小は、両者を比較した場合の相対的な大小を示している。同様に、上記時間間隔の長短も両者を比較した場合の相対的な長短を示している。このように設定する理由は以下の通りである。
【００７４】
パスロスが小さいＵＥは、スケジューリング情報をシグナリングするためのリソース消費量が少ないので、システムにおけるスケジューリング情報のシグナリング送信可能ＵＥ数が多くなる。従って、伝搬路変動に対する適応度を上げる、すなわち、スケジューリング情報のシグナリング間隔を短く設定できるＵＥ数を増加させることができ、システムスループットを向上させることができる。
【００７５】
一方、パスロスが大きいＵＥは、ロバストな送信が要求されるためスケジューリング情報をシグナリングするためのリソース消費量が多くなる。その結果、システムにおける送信時間あたりのスケジューリング情報のシグナリング可能ＵＥ数が少なくなり、シグナリング間隔を長く設定する必要がある。
【００７６】
よって、パスロスが大きい場合には、スケジューリング情報のシグナリング間隔を長く設定し、パスロスが小さい場合には、スケジューリング情報のシグナリング間隔を短く設定するというように関連付けておく。このように、スケジューリング情報のシグナリングタイミングを送受信間のパスロスと予め関連付けておくことにより、スケジューリング情報のシグナリングタイミングを通知するためのオーバーヘッドを発生させることなく、パケット間の衝突発生率を低減することができる。
【００７７】
このように実施の形態２によれば、スケジューリング情報のシグナリングタイミングを送信パケットのＴＢＳ、ＱｏＳディレイ、周波数ホッピングの有無、送受信間のパスロスなどのパラメータと関連付けておき、いずれかのパラメータに基づいてスケジューリング情報のシグナリングタイミングを決定することにより、スケジューリング情報のシグナリングタイミングを通知するためのオーバーヘッドを発生させることなく、パケット間の衝突発生率を低減することができる。
【００７８】
（実施の形態３）
上記実施の形態１及び２では、上り回線のパケット伝送を想定して説明したが、本発明の実施の形態３では、下り回線のパケット伝送を想定して説明する。
【００７９】
基地局は、各ＵＥに下り回線の再送用リソースを予め割り当てておき、リソース割当情報をＵＥに予め通知しておく。また、基地局は、スケジューリング情報を通知するタイミングを予めＵＥに通知しておく。
【００８０】
ＵＥは、予め通知されたタイミング以外において、スケジューリング情報を含んだシグナリングを受信した場合は、スケジューリング情報に従ってパケットを受信する。一方、スケジューリング情報を受信できなかった場合は、予め通知されているリソース割当情報に従ってパケットを受信する。また、ＵＥは、予め通知されているタイミングにおいて、スケジューリング情報を受信できなかった場合には、パケットのＨＡＲＱ合成を停止する。
【００８１】
このように実施の形態３によれば、スケジューリング情報のシグナリングタイミングを基地局からＵＥに予め通知しておき、ＵＥは通知されたシグナリングタイミングにおいてスケジューリング情報の受信に失敗した場合、パケットのＨＡＲＱ合成を停止することにより、他ＵＥの受信パケットとの合成を回避することができる。
【００８２】
なお、上記各実施の形態において説明したスケジューリング情報のシグナリングタイミングは、図８に示すように、連続する再送タイミングであってもよい。これにより、スケジューリング情報のシグナリングタイミングにおけるスケジューリング情報の受信誤りを低減することができる。
【００８３】
また、スケジューリング情報のシグナリングタイミングは、最大再送回数までに複数回あってもよい。また、スケジューリング情報のシグナリングタイミングは、セル毎に設定されてもよい。
【００８４】
また、スケジューリング情報のシグナリングタイミングは、基準となるタイミングと、この基準のタイミングとの差分とによって表されてもよい。このとき、基準のタイミングを報知チャネル（例えば、ＢＣＨ（Broadcast Channel））によって通知し、基準のタイミングとの差分をＵＥ毎に通知してもよい。これにより、ＵＥ毎に送信するシグナリングのビット数を低減することができる。
【００８５】
また、スケジューリング情報のシグナリングタイミングは、同一セル内のＵＥ毎に異なるタイミングとなるように、ＵＥ毎に異なるオフセットをシグナリングタイミングに付加してもよい。これにより、スケジューリング情報のシグナリングタイミングの発生を時間的に分散することができる。従って、下り制御チャネル（例えば、ＰＤＣＣＨ（Physical Dedicated Control Channel））の収容可能数を超えてスケジューリング情報が送信される確率を低減することができる。すなわち、スケジューリング情報が送信されず、スケジューリングされないＵＥの発生確率を低減することができるので、スループットの低下を抑制することができる。
【００８６】
また、パケットの断片化（Fragmentation）の発生が少ない場合などでは、図９に示すように、スケジューリング情報のシグナリングタイミング以外はスケジューリング情報を全く送信しない、すなわち、ノンアダプティブＨＡＲＱを適用してもよい。これにより、再送時のＵＥ間のパケットの衝突を回避することができる。
【００８７】
また、ノンアダプティブＨＡＲＱの適用に関して、スケジューリング情報のシグナリングタイミングにおいて、ＵＥがスケジューリング情報を取得できなかった場合、次のノンアダプティブＨＡＲＱの再送タイミングでは、プリディファインされているリソースを介して再送パケットを送信する方法が考えられる。あるいは、ＵＥがスケジューリング情報を取得できなかった場合、次にスケジューリング情報がシグナリングされるまでパケットの送信を停止する方法が考えられる。
【００８８】
なお、基地局はＮｏｄｅＢ、あるいはｅＮｏｄｅＢと表現されることもある。
【００８９】
また、上記各実施の形態では、本発明をハードウェアで構成する場合を例にとって説明したが、本発明はソフトウェアで実現することも可能である。
【００９０】
また、上記各実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００９１】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００９２】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【００９３】
２００８年９月２９日出願の特願２００８−２５０６１６の日本出願に含まれる明細書、図面及び要約書の開示内容は、すべて本願に援用される。
【産業上の利用可能性】
【００９４】
本発明にかかる無線送信装置及び無線送信方法は、例えば、移動通信システム等に適用できる。
【図１】
2010035496.tif 000003
【図２】
2010035496.tif 000004
【図３】
2010035496.tif 000005
【図４】
2010035496.tif 000006
【図５】
2010035496.tif 000007
【図６】
2010035496.tif 000008
【図７】
2010035496.tif 000009
【図８】
2010035496.tif 000010
【図９】
2010035496.tif 000011
【手続補正書】
【提出日】平成23年1月6日(2011.1.6)
【手続補正１】
【補正対象書類名】明細書
【補正対象項目名】全文
【補正方法】変更
【補正の内容】
【発明の詳細な説明】
【技術分野】
【０００１】
本発明は、アダプティブＨＡＲＱ（adaptive Hybrid Auto Repeat reQuest）とノンアダプティブＨＡＲＱ（non-adaptive Hybrid Auto Repeat reQuest）とを組み合わせた再送方法を用いた無線送信装置及び無線送信方法に関する。
【背景技術】
【０００２】
誤り制御技術の一つとして、ＨＡＲＱがある。ＨＡＲＱは、送信側が誤ったパケットを再送し、受信側において受信済みパケットと再送パケットとを合成することにより、誤り訂正能力を向上させ、高品質伝送を実現する技術である。このＨＡＲＱ技術は、ＨＳＤＰＡ（High Speed Downlink Packet Access）及びＬＴＥ（Long Term Evolution）において採用されている。
【０００３】
ＨＡＲＱの方法として、アダプティブＨＡＲＱ（adaptive HARQ）とノンアダプティブＨＡＲＱ（non-adaptive HARQ）とが検討されている。アダプティブＨＡＲＱは、再送パケットを任意のリソースに割り当てる方法である。一方、ノンアダプティブＨＡＲＱは、再送パケットを予め定められているリソースに割り当てる方法である。
【０００４】
アダプティブＨＡＲＱは、送信時の伝搬路品質の良いリソースにパケットを割り当てるので、パケットの誤り率を改善することができ、再送回数を低減させることができる。逆に、任意のリソースにパケットを割り当てるため、パケット送信毎にパケットの割り当てリソース位置を通知するためのシグナリングが必要となり、シグナリングオーバーヘッドが増大するという問題がある。
【０００５】
一方、ノンアダプティブＨＡＲＱは、予め定められているリソースにパケットを割り当てるので、送信時の伝搬路品質は必ずしも良いとはいえず、平均的なパケットの誤り率となるため、再送回数が増加する傾向となる。逆に、予め定められたリソースにパケットを割り当てるため、パケット送信毎にパケットの割り当てリソース位置を通知する必要がなく、シグナリングオーバーヘッドが小さいという利点がある。
【０００６】
このように、アダプティブＨＡＲＱとノンアダプティブＨＡＲＱとの間には、再送回数とシグナリングオーバーヘッドに関してトレードオフの関係がある。そこで、このトレードオフの関係を解決する方法として、アダプティブＨＡＲＱとノンアダプティブＨＡＲＱとを組み合わせたセミアダプティブＨＡＲＱ（semi-adaptive HARQ）が提案されている。
【０００７】
ここで、セミアダプティブＨＡＲＱについて、上り回線のパケット伝送を想定して説明する。セミアダプティブＨＡＲＱでは、基地局は、リソース割り当てを変更したい場合にのみ、リソースの位置、すなわち、スケジューリング情報を通知するためのシグナリングを実施する。移動局（以下、「ＵＥ：User Equipment」という）は、基地局からのシグナリングを受信できなければ、自局宛のスケジューリング情報が基地局より送信されなかったと判断し、予め定められているリソースでパケットを送信する。一方、基地局からのシグナリングを受信できた場合、ＵＥはシグナリングによって通知されたリソース位置でパケットを送信する。つまり、ＵＥは基地局からのシグナリングの有無に応じて、アダプティブＨＡＲＱとノンアダプティブＨＡＲＱとを切り替えることとなる。
【０００８】
このように、セミアダプティブＨＡＲＱにより、基地局は必要に応じてシグナリングを送信し、パケットの割り当てリソース位置を変更すればよいため、少ないシグナリングオーバーヘッドで再送回数を低減することが可能となる。
【先行技術文献】
【非特許文献】
【０００９】
【非特許文献１】3GPP TS 36.300 V8.3.0 Technical Specification Group Radio Access Network; E-UTRA and E-UTRAN; Overall description; Stage 2 (Release 8), "11 Scheduling and Rate Control"
【発明の概要】
【発明が解決しようとする課題】
【００１０】
しかしながら、上述した技術では、ＵＥがリソース割り当て用シグナリングの受信に失敗した場合、予め定められたリソースでパケットを送信するため、他のＵＥが同じリソースを使用してパケットを送信した場合、パケットの衝突が発生するという問題がある。
【００１１】
本発明の目的は、アダプティブＨＡＲＱとノンアダプティブＨＡＲＱとを組み合わせた再送方法において、スケジューリング情報の受信に失敗した場合でも、送信パケットの衝突発生率を低減する無線送信装置及び無線送信方法を提供することである。
【課題を解決するための手段】
【００１２】
本発明の無線送信装置は、スケジューリング情報を取得するタイミングと前記スケジューリング情報の取得の有無とに基づいて、リソースを制御するリソース制御情報を生成するリソース制御手段と、前記リソース制御情報に基づいて、リソースを選択するリソース選択手段と、選択された前記リソースを用いてデータを送信する送信手段と、を具備し、前記リソース制御手段は、前記タイミングにおいて前記スケジューリング情報が取得されない場合、前記データの送信停止を指示する構成を採る。
【００１３】
本発明の無線送信方法は、スケジューリング情報を取得するタイミングと前記スケジューリング情報の取得の有無とに基づいて、リソースを制御するリソース制御情報を生成するリソース制御工程と、前記リソース制御情報に基づいて、リソースを選択するリソース選択工程と、選択された前記リソースを用いてデータを送信する送信工程と、を具備し、前記リソース制御工程は、前記タイミングにおいて前記スケジューリング情報が取得されない場合、前記データの送信停止を指示するようにした。
【発明の効果】
【００１４】
本発明によれば、アダプティブＨＡＲＱとノンアダプティブＨＡＲＱとを組み合わせた再送方法において、スケジューリング情報の受信に失敗した場合でも、送信パケットの衝突発生率を低減することができる。
【図面の簡単な説明】
【００１５】
【図１】本発明の実施の形態１に係る基地局の構成を示すブロック図
【図２】本発明の実施の形態１に係るＵＥの構成を示すブロック図
【図３】図２に示したリソース制御部の動作手順を示すフロー図
【図４】図１に示した基地局と図２に示したＵＥとの動作の説明に供する図
【図５】図１に示した基地局と図２に示したＵＥとのその他の動作の説明に供する図
【図６】本発明の実施形態２に係る基地局の構成を示すブロック図
【図７】本発明の実施の形態２に係るＵＥの構成を示すブロック図
【図８】スケジューリング情報のシグナリングタイミングを示す図
【図９】ノンアダプティブＨＡＲＱを適用する様子を示す図
【発明を実施するための形態】
【００１６】
以下、本発明の実施の形態について、図面を参照して詳細に説明する。ただし、実施の
形態において、同一機能を有する構成には、同一符号を付し、重複する説明は省略する。
【００１７】
（実施の形態１）
本発明の実施の形態１に係る基地局装置（以下、単に「基地局」という）１００の構成について図１を用いて説明する。図１は、本発明の実施の形態１に係る基地局１００の構成を示すブロック図である。図１において、無線受信部１０２は、ＵＥから送信された信号をアンテナ１０１から受信し、受信した信号にダウンコンバート、Ａ／Ｄ変換等の受信処理を施して復調部１０３に出力する。また、受信信号に含まれる受信品質測定用の参照信号を受信品質測定部１０７に出力する。
【００１８】
復調部１０３は、無線受信部１０２から出力された信号に復調処理を施し、復調結果を復号化部１０４に出力する。復号化部１０４は、復調部１０３から出力された復調結果にターボ復号、畳み込み符号の最尤復号などの誤り訂正復号化を施して復号データを取得し、復号データを誤り検出部１０５に出力する。また、後述する誤り検出部１０５から誤りなしを示す検出結果を取得した場合、復号データを受信データとして出力する。
【００１９】
誤り検出部１０５は、復号化部１０４から出力された復号データに付加されているＣＲＣ（Cyclic Redundancy Check）符号などから復号データ（パケット）が誤っているか否かを検出し、検出結果を復号化部１０４及び応答信号生成部１０６に出力する。
【００２０】
応答信号生成部１０６は、誤り検出部１０５から出力された検出結果が誤りありを示す場合はＮＡＣＫを、検出結果が誤りなしを示す場合はＡＣＫをそれぞれ生成し、ＡＣＫ又はＮＡＣＫを変調部１１１に出力する。
【００２１】
受信品質測定部１０７は、無線受信部１０２から出力された受信品質測定用の参照信号に基づいて、パケットを送信可能なリソースのＳＩＮＲ（Signal to Interference and Noise Ratio）などの受信品質を測定し、測定結果をスケジューリング部１０９に出力する。
【００２２】
シグナリングタイミング決定部１０８は、基地局１００がＵＥにスケジューリング情報を通知するタイミング（シグナリングタイミング）をＵＥの移動速度、トランスポートブロックサイズ（ＴＢＳ:Transport Block Size）、ＱｏＳなどのパケット情報から決定し、決定したシグナリングタイミングをスケジューリング部１０９に出力すると共に、シグナリングタイミングをスケジューリングタイミング情報として符号化部１１０に出力する。
【００２３】
スケジューリング部１０９は、ノンアダプティブＨＡＲＱ及びアダプティブＨＡＲＱの機能を備え、シグナリングタイミング決定部１０８から出力されたシグナリングタイミングに従って、ノンアダプティブＨＡＲＱとアダプティブＨＡＲＱとを切り替える。なお、スケジューリング部１０９が任意のタイミングを決定し、決定したタイミングでノンアダプティブＨＡＲＱとアダプティブＨＡＲＱとを切り替えてもよい。
【００２４】
ノンアダプティブＨＡＲＱを適用した場合、各ＵＥが送信する再送パケットのリソースが予め決定されているため、スケジューリング部１０９は、リソース割当情報を出力しない。ただし、リソース割当情報は、再送のプロセスが開始する前にＵＥに通知される。
【００２５】
一方、アダプティブＨＡＲＱを適用した場合、スケジューリング部１０９は、受信品質測定部１０７から出力された受信品質測定結果に基づいて、各ＵＥが送信するパケットのリソースを決定し、決定したリソースをスケジューリング情報として符号化部１１０に出力する。ただし、スケジューリング情報は、ＵＥを識別する識別子（ＵＥ ＩＤ）が多重
され、再送パケット毎にＵＥに通知される。
【００２６】
符号化部１１０は、シグナリングタイミング決定部１０８からスケジューリングタイミング情報が出力された場合、スケジューリングタイミング情報にターボ符号又は畳み込み符号などの誤り訂正符号化を施す。また、符号化部１１０は、スケジューリング部１０９からスケジューリング情報が出力された場合、スケジューリング情報にターボ符号又は畳み込み符号などの誤り訂正符号化を施す。符号化部１１０は、これらにより得られた符号化データを変調部１１１に出力する。
【００２７】
変調部１１１は、符号化部１１０から出力された符号化データにＱＰＳＫ又は１６ＱＡＭなどの変調処理を施し、変調信号を無線送信部１１２に出力する。無線送信部１１２は、変調部１１１から出力された変調信号にＤ／Ａ変換、アップコンバート、増幅等の送信処理を施し、送信処理を施した信号をアンテナ１０１から無線送信する。
【００２８】
次に、本発明の実施の形態１に係るＵＥ２００の構成について図２を用いて説明する。図２は、本発明の実施の形態１に係るＵＥ２００の構成を示すブロック図である。図２において、無線受信部２０２は、基地局１００から送信された制御信号をアンテナ２０１から受信し、受信した制御信号にダウンコンバート、Ａ／Ｄ変換等の受信処理を施して復調部２０３に出力する。
【００２９】
復調部２０３は、無線受信部２０２から出力された制御信号に復調処理を施し、復調結果を復号化部２０４に出力する。復号化部２０４は、復調部２０３から出力された復調結果にターボ復号、畳み込み符号の最尤復号などの誤り訂正復号化を施して復号データを取得し、取得した復号データのうち、アダプティブＨＡＲＱの適用時に含まれるスケジューリング情報を識別部２０５に出力する。一方、取得した復号データのうち、ノンアダプティブＨＡＲＱの適用時に用いられる予め定められたリソース割当情報及びスケジューリングタイミング情報をリソース制御部２０６に出力する。
【００３０】
識別部２０５は、復号化部２０４から出力されたスケジューリング情報が自局宛の情報か否かをスケジューリング情報に多重されている識別子（ＵＥ ＩＤ）に基づいて判別する。スケジューリング情報が自局宛であると判別すれば、スケジューリング情報をリソース制御部２０６に出力する。
【００３１】
リソース制御部２０６は、復号化部２０４から出力されたノンアダプティブＨＡＲＱ用の予め定められたリソース割当情報及びスケジューリングタイミング情報と、識別部２０５から出力されたアダプティブＨＡＲＱ用のスケジューリング情報とに従って、パケットのリソース割り当て位置、またはパケットの送信停止を決定し、決定した内容を示すリソース制御情報を生成してリソース選択部２０９に出力する。
【００３２】
具体的には、スケジューリング情報を取得するタイミング以外で識別部２０５からスケジューリング情報が出力されない場合、リソース制御部２０６は、ノンアダプティブＨＡＲＱを適用し、予め定められているリソース割当情報をリソース選択部２０９に出力する。また、識別部２０５からスケジューリング情報が出力された場合、リソース制御部２０６は、アダプティブＨＡＲＱを適用し、スケジューリング情報によって指示されたリソースをリソース選択部２０９に出力する。さらに、スケジューリング情報を取得するタイミングで識別部２０５からスケジューリング情報が出力されない場合、パケットの送信停止を指示するリソース制御情報をリソース選択部２０９に出力する。
【００３３】
符号化部２０７は、送信データにターボ符号又は畳み込み符号などの誤り訂正符号化を施し、符号化データを変調部２０８に出力する。変調部２０８は、符号化部２０７から出
力された符号化データにＱＰＳＫ又は１６ＱＡＭなどの変調処理を施し、変調信号をリソース選択部２０９に出力する。
【００３４】
リソース選択部２０９は、リソース制御部２０６から出力されたリソース制御情報に基づいて、変調部２０８から出力された変調信号を割り当てるリソースを選択し、選択したリソースに変調信号を割り当てて無線送信部２１０に出力する。
【００３５】
無線送信部２１０は、リソース選択部２０９から出力された変調信号にＤ／Ａ変換、アップコンバート、増幅等の送信処理を施し、送信処理を施した信号をアンテナ２０１から無線送信する。
【００３６】
次に、上述したリソース制御部２０６の動作について図３を用いて説明する。図３は、図２に示したリソース制御部２０６の動作手順を示すフロー図である。図３において、ステップ（以下、「ＳＴ」と省略する）３０１では、リソース制御部２０６は、基地局１００から送信されたリソース割当情報及びスケジューリングタイミング情報を取得し、記憶する。
【００３７】
ＳＴ３０２では、リソース制御部２０６が識別部２０５からスケジューリング情報を取得したか否かを判定し、スケジューリング情報を取得した場合（ＹＥＳ）には、ＳＴ３０３に移行し、スケジューリング情報を取得していない場合（ＮＯ）には、ＳＴ３０４に移行する。
【００３８】
ＳＴ３０３では、リソース制御部２０６は、アダプティブＨＡＲＱを適用し、ＳＴ３０２において取得したスケジューリング情報によって指示されたリソースをリソース選択部２０９に通知し、リソース制御部２０６の動作を終了する。
【００３９】
ＳＴ３０４では、ＳＴ３０２において取得できなかったスケジューリング情報がＳＴ３０１において記憶したスケジューリングタイミング情報の示すタイミング（スケジューリングタイミング）において取得できなかったのか否かを判定する。スケジューリングタイミングにおいて取得できなかった（ＹＥＳ）場合、ＳＴ３０５に移行し、スケジューリング情報の示すタイミング以外において取得できなかった（ＮＯ）場合、ＳＴ３０６に移行する。
【００４０】
ＳＴ３０５では、リソース制御部２０６は、パケットの送信停止の指示をリソース選択部２０９に通知し、リソース制御部２０６の動作を終了する。
【００４１】
ＳＴ３０６では、リソース制御部２０６は、ノンアダプティブＨＡＲＱを適用し、ＳＴ３０１において記憶したリソースをリソース選択部２０９に通知し、リソース制御部２０６の動作を終了する。
【００４２】
次に、図１に示した基地局１００と図２に示したＵＥ２００との動作について図４を用いて説明する。まず、図４（ａ）は、セミアダプティブＨＡＲＱにおけるパケットの衝突発生率を示している。ここでは、横軸は時間（ｔ）を表し、縦軸は衝突発生率を表している。図４（ａ）に示すように、パケットの衝突発生率は時間的に一様ではなく、再送回数に応じて異なる。衝突発生率が高くなるタイミングは、シグナリングによってリソースを割り当ててから一定時間経過した後である。すなわち、再度リソース割り当てが必要となる再送回数Ｎ（図４（ａ）ではＮ＝２）回後である。これは、シグナリングによるリソース割り当ては、一般にパケット送信時に想定される伝搬路品質や複数ＵＥの割り当て状況に基づいて、その時点で最適となるように実施されるためである。
【００４３】
ここで、パケット誤りが発生し、再送となった場合には、リソースを割り当てた時点から時間が経過しており、伝搬路の時間変動により、リソース割り当て時の伝搬路品質と現時点での伝搬路品質とが乖離している。このため、一定時間経過後にリソースを再割り当てする必要がでてくる。このリソースの再割り当て時に、リソース通知用のシグナリングが複数ＵＥで集中することとなる。従って、このタイミングでは、シグナリングを受信すべきＵＥ数が増加するので、これに伴い、シグナリングの受信に失敗するＵＥ数も増加し、パケットの衝突発生率が増加する。
【００４４】
図４（ｂ）は、複数のＵＥがパケット送信に用いた周波数及び時間リソースを示している。ここでは、ＵＥ＃ＡとＵＥ＃Ｂの２つのＵＥについて図示している。また、周波数リソースはＲＢ（Resource Block）＃１とＲＢ＃２を使用することとし、時間リソースは初回送信タイミング、再送１回目、再送２回目のタイミングを使用することとする。なお、再送はＲＴＴ（Round Trip Time）間隔で行われるものとする。
【００４５】
基地局は、ＵＥ＃Ａに対して予めＲＢ＃１を再送用リソースとして割り当てておき、リソース割当情報を予めＵＥ＃Ａに通知しておく。同様に、ＵＥ＃Ｂに対して予めＲＢ＃２を再送用リソースとして割り当てておき、リソース割当情報を予めＵＥ＃Ｂに通知しておく。さらに、基地局は、再送２回目のタイミングでスケジューリング情報（grant）を通知することとし、このタイミングをＵＥ＃ＡとＵＥ＃Ｂに予め通知しておく。
【００４６】
再送１回目のタイミングでは、ＵＥ＃Ａ及びＵＥ＃Ｂは、基地局からスケジューリング情報が通知されないので、予め通知されたリソース割当情報に従ってパケットを送信する。なお、基地局からスケジューリング情報が通知された場合には、スケジューリング情報に従ってパケットを送信する。
【００４７】
続いて、再送２回目のタイミングでは、基地局はスケジューリング情報をシグナリングする。ここで、基地局は、ＵＥ＃Ａに対してはＲＢ＃２を、一方、ＵＥ＃Ｂに対してはＲＢ＃１を割り当て直したとする。ＵＥ＃Ａ及びＵＥ＃Ｂは、スケジューリング情報が通知されることを予め知っているので、基地局から通知されるスケジューリング情報に従ってパケットを送信する。ここでは、ＵＥ＃Ｂは正しくスケジューリング情報を受信できたとし、ＲＢ＃１でパケットを送信する。一方、ＵＥ＃Ａはスケジューリング情報の受信に失敗したとし、パケットの送信を停止する。
【００４８】
このように実施の形態１によれば、スケジューリング情報のシグナリングタイミングを基地局からＵＥに予め通知しておき、ＵＥは通知されたシグナリングタイミングにおいてスケジューリング情報の受信に失敗した場合、パケットの送信を停止することにより、他ＵＥの送信パケットとの衝突を回避することができる。
【００４９】
なお、再送回数が増加するにつれて、再送パケット数は減少していくので、各ＵＥに送信するスケジューリング情報のシグナリングも減少していく。そこで、予め通知されたタイミングより早いタイミング（通知されたタイミングは含まない）において、スケジューリング情報を識別できた場合、ＵＥ２００のリソース制御部２０６は、スケジューリング情報に従ってパケットを送信するよう制御する。また、スケジューリング情報を識別できなかった場合、リソース制御部２０６は、予め通知されているリソースに従ってパケットを送信するよう制御する。さらに、リソース制御部２０６は、予め通知されているタイミング以降（通知されたタイミングを含む）において、スケジューリング情報を識別できなかった場合には、パケットの送信を停止するよう制御する。
【００５０】
ここで、図５を用いて具体的に説明する。図５（ａ）は、再送回数が増加するにつれて、再送パケット数が減少していくことを示している。また、図５（ｂ）は、ＵＥがパケッ
トの送信に用いた周波数及び時間リソースと、スケジューリング情報（grant）の有無とを示している。
【００５１】
基地局１００は、再送用リソースをＵＥ１００に割り当てておき、リソース割当情報をＵＥ２００に予め通知しておく。さらに、基地局１００は、再送Ｍ回目以降のタイミングでスケジューリング情報を通知することとし、このタイミングをＵＥ２００に予め通知しておく。
【００５２】
再送Ｍ回目より早いタイミングでは、基地局１００からスケジューリング情報が通知された場合には、ＵＥ２００はスケジューリング情報に従ってパケットを送信する。図５の場合、再送１回目ではスケジューリング情報が通知されており、再送Ｍ−１回目ではスケジューリング情報が通知されていない。
【００５３】
一方、再送Ｍ回目以降のタイミングでは、基地局１００はスケジューリング情報をシグナリングする。ＵＥ２００は、スケジューリング情報が通知されることを予め知っているので、基地局１００から通知されるスケジューリング情報に従ってパケットを送信する。なお、基地局１００から通知されるスケジューリング情報の受信に失敗した場合、ＵＥ２００はパケットの送信を停止する。
【００５４】
このように、再送パケットが減少していく期間にスケジューリング情報のシグナリングを設定することにより、シグナリングオーバーヘッドの増加を抑制すると共に、ＵＥの送信パケットの衝突回数を低減することができる。
【００５５】
（実施の形態２）
本発明の実施の形態２に係る基地局４００の構成について図６を用いて説明する。図６は、本発明の実施形態２に係る基地局４００の構成を示すブロック図である。図６が図１と異なる点は、シグナリングタイミング決定部１０８をシグナリングタイミング決定部４０１に変更した点である。
【００５６】
シグナリングタイミング決定部４０１は、スケジューリング情報のシグナリングタイミングを送信パケットのトランスポートブロックサイズ（ＴＢＳ:Transport Block Size）、ＱｏＳディレイ、周波数ホッピングの有無、送受信間のパスロスなどのパラメータと関連付けておき、これらのパラメータに基づいて、シグナリングタイミングを決定する。決定されたシグナリングタイミングはスケジューリング部１０９に出力される。
【００５７】
なお、シグナリングタイミング決定部４０１は、実施の形態１に係る基地局１００のシグナリングタイミング決定部１０８とは異なり、シグナリングタイミング（スケジューリングタイミング情報）を符号化部１１０に出力しない。すなわち、本実施の形態に係る基地局４００は、スケジューリングタイミング情報をＵＥに明示的に通知しない。
【００５８】
本発明の実施の形態２に係るＵＥ５００の構成について図７を用いて説明する。図７は、本発明の実施の形態２に係るＵＥ５００の構成を示すブロック図である。図７が図２と異なる点は、シグナリングタイミング決定部５０１を追加した点である。
【００５９】
シグナリングタイミング決定部５０１は、基地局４００のシグナリングタイミング決定部４０１と同様の機能を有し、スケジューリング情報のシグナリングタイミングを送信パケットのＴＢＳ、ＱｏＳディレイ、周波数ホッピングの有無、送受信間のパスロスなどのパラメータと関連付けておき、これらのパラメータに基づいて、シグナリングタイミングを決定する。決定されたシグナリングタイミングはリソース制御部２０６に出力される。
【００６０】
なお、シグナリングタイミング決定部４０１、５０１は、スケジューリング情報のシグナリングタイミングと、送信パケットのＴＢＳ，ＱｏＳディレイ、周波数ホッピングの有無及び送受信間のパスロスのうちいずれか（１つでもよいし、１つに限らなくてもよい）とを関連付けておけばよい。
【００６１】
次に、上述したシグナリングタイミング決定部４０１、５０１において、シグナリングタイミングと関連付けた各種パラメータについて具体的に説明する。まず、送信パケットのＴＢＳについて説明する。ＴＢＳが大きい、つまり、１パケット当たりの送信データ量が多いパケットを送信するＵＥには、初回送信時のシグナリングから再送時のスケジューリング情報のシグナリングまでの時間間隔を短く設定する。一方、ＴＢＳが小さい、つまり、１パケット当たりの送信データ量が少ないパケットを送信するＵＥには、初回送信時のシグナリングから再送時のスケジューリング情報のシグナリングまでの時間間隔を長く設定する。ここで、上記ＴＢＳの大小は、両者を比較した場合の相対的な大小を示している。同様に、上記時間間隔の長短も両者を比較した場合の相対的な長短を示している。このように設定する理由は以下の通りである。
【００６２】
ＴＢＳが大きい場合、１パケット送信当たりに使用するリソース量が多くなるので、送信時間単位（例えば、サブフレーム（sub-frame））当たりの送信可能なパケット数が少なくなる。その結果、システムにおけるスケジューリング情報のシグナリング数が少なくなる。従って、スケジューリング情報のシグナリング間隔を短く設定できる。また、ＴＢＳが大きいパケットは、システムスループットに与える影響が大きいので、伝搬路変動に対する適応度を上げる。すなわち、スケジューリング情報のシグナリング間隔を短く設定し、伝搬路変動に追従させて適切なリソース割り当てを実施する。これにより、システムスループットを向上させることができる。
【００６３】
一方、ＴＢＳが小さい場合、１パケット送信当たりに使用するリソース量が少なくなるので、送信時間単位当たりの送信可能なパケット数が多くなる。その結果、システムにおけるスケジューリング情報のシグナリング数が多くなり、シグナリング間隔を長く設定する必要がある。
【００６４】
よって、ＴＢＳが大きい場合には、スケジューリング情報のシグナリング間隔を短く設定し、ＴＢＳが小さい場合には、スケジューリング情報のシグナリング間隔を長く設定するというように関連付けておく。このように、スケジューリング情報のシグナリングタイミングをＴＢＳと予め関連付けておくことにより、スケジューリング情報のシグナリングタイミングを通知するためのオーバーヘッドを発生させることなく、パケット間の衝突発生率を低減することができる。
【００６５】
次に、送信パケットのＱｏＳディレイについて説明する。ＱｏＳディレイが小さい、つまり、伝送遅延によりパケットが破棄されるまでの時間が短いパケットを送信するＵＥには、初回送信時のシグナリングから再送時のスケジューリング情報のシグナリングまでの時間間隔を短く設定する。一方、ＱｏＳディレイが大きい、つまり、伝送遅延によりパケットが破棄されるまでの時間が長いパケットを送信するＵＥには、初回送信時のシグナリングから再送時のスケジューリング情報のシグナリングまでの時間間隔を長く設定する。ここで、上記ＱｏＳディレイの大小は、両者を比較した場合の相対的な大小を示している。同様に、上記時間間隔の長短も両者を比較した場合の相対的な長短を示している。このように設定する理由は以下の通りである。
【００６６】
ＱｏＳディレイが小さい場合、伝搬路変動に対する適応度を上げる。すなわち、スケジューリング情報のシグナリング間隔を短く設定し、伝搬路変動に追従させて適切なリソース割り当てを実施する。これにより、再送回数が減少し、要求遅延を超えてパケットが破
棄される確率が下がるので、システムスループットを向上させることができる。
【００６７】
一方、ＱｏＳディレイが大きい場合、パケットが破棄されるまでの時間が長いので、再送回数の増加にも耐え得る可能性が高い。すなわち、スケジューリング情報のシグナリング間隔を長く設定することができる。従って、前記ＱｏＳディレイが小さい場合と組み合わせると、スケジューリング情報のシグナリングオーバーヘッドを分散させることができる。
【００６８】
よって、ＱｏＳディレイが大きい場合には、スケジューリング情報のシグナリング間隔を長く設定し、ＱｏＳディレイが小さい場合には、スケジューリング情報のシグナリング間隔を短く設定するというように関連付けておく。このように、スケジューリング情報のシグナリングタイミングをＱｏＳディレイと予め関連付けておくことにより、スケジューリング情報のシグナリングタイミングを通知するためのオーバーヘッドを発生させることなく、パケット間の衝突発生率を低減することができる。
【００６９】
次に、周波数ホッピングの有無について説明する。周波数ホッピングが適用されないＵＥには、初回送信時のシグナリングから再送時のスケジューリング情報のシグナリングまでの時間間隔を短く設定する。一方、周波数ホッピングが適用されるＵＥには、初回送信時のシグナリングから再送時のスケジューリング情報のシグナリングまでの時間間隔を長く設定する。このように設定する理由は以下の通りである。
【００７０】
周波数ホッピングが適用されるＵＥは、平均ＳＩＮＲに基づいて送信パラメータが決定されるので、瞬時的な伝搬路変動に対する適応度を下げる。すなわち、スケジューリング情報のシグナリング間隔を長く設定することができる。従って、周波数ホッピングが適用されない場合と組み合わせると、スケジューリング情報のシグナリングオーバーヘッドを分散させることができる。
【００７１】
一方、周波数ホッピングが適用されないＵＥは、瞬時ＳＩＮＲに基づいて送信パラメータが決定されるので、瞬時的な伝搬路変動に対する適応度を上げる。すなわち、スケジューリング情報のシグナリング間隔を短く設定し、伝搬路変動に追従させて適切なリソース割り当てを実施する。これにより、システムスループットを向上させることができる。
【００７２】
よって、周波数ホッピングが適用される場合には、スケジューリング情報のシグナリング間隔を長く設定し、周波数ホッピングが適用されない場合には、スケジューリング情報のシグナリング間隔を短く設定するというように関連付けておく。このように、スケジューリング情報のシグナリングタイミングを周波数ホッピングの有無と予め関連付けておくことにより、スケジューリング情報のシグナリングタイミングを通知するためのオーバーヘッドを発生させることなく、パケット間の衝突発生率を低減することができる。
【００７３】
次に、送受信間のパスロスについて説明する。パスロスが小さい、つまり、伝搬路の減衰量が小さく高い受信品質でパケットが届くＵＥには、初回送信時のシグナリングから再送時のスケジューリング情報のシグナリングまでの時間間隔を短く設定する。一方、パスロスが大きい、つまり、伝搬路の減衰量が大きく低い受信品質でパケットが届くＵＥには、初回送信時のシグナリングから再送時のスケジューリング情報のシグナリングまでの時間間隔を長く設定する。ここで、上記パスロスの大小は、両者を比較した場合の相対的な大小を示している。同様に、上記時間間隔の長短も両者を比較した場合の相対的な長短を示している。このように設定する理由は以下の通りである。
【００７４】
パスロスが小さいＵＥは、スケジューリング情報をシグナリングするためのリソース消費量が少ないので、システムにおけるスケジューリング情報のシグナリング送信可能ＵＥ
数が多くなる。従って、伝搬路変動に対する適応度を上げる、すなわち、スケジューリング情報のシグナリング間隔を短く設定できるＵＥ数を増加させることができ、システムスループットを向上させることができる。
【００７５】
一方、パスロスが大きいＵＥは、ロバストな送信が要求されるためスケジューリング情報をシグナリングするためのリソース消費量が多くなる。その結果、システムにおける送信時間あたりのスケジューリング情報のシグナリング可能ＵＥ数が少なくなり、シグナリング間隔を長く設定する必要がある。
【００７６】
よって、パスロスが大きい場合には、スケジューリング情報のシグナリング間隔を長く設定し、パスロスが小さい場合には、スケジューリング情報のシグナリング間隔を短く設定するというように関連付けておく。このように、スケジューリング情報のシグナリングタイミングを送受信間のパスロスと予め関連付けておくことにより、スケジューリング情報のシグナリングタイミングを通知するためのオーバーヘッドを発生させることなく、パケット間の衝突発生率を低減することができる。
【００７７】
このように実施の形態２によれば、スケジューリング情報のシグナリングタイミングを送信パケットのＴＢＳ、ＱｏＳディレイ、周波数ホッピングの有無、送受信間のパスロスなどのパラメータと関連付けておき、いずれかのパラメータに基づいてスケジューリング情報のシグナリングタイミングを決定することにより、スケジューリング情報のシグナリングタイミングを通知するためのオーバーヘッドを発生させることなく、パケット間の衝突発生率を低減することができる。
【００７８】
（実施の形態３）
上記実施の形態１及び２では、上り回線のパケット伝送を想定して説明したが、本発明の実施の形態３では、下り回線のパケット伝送を想定して説明する。
【００７９】
基地局は、各ＵＥに下り回線の再送用リソースを予め割り当てておき、リソース割当情報をＵＥに予め通知しておく。また、基地局は、スケジューリング情報を通知するタイミングを予めＵＥに通知しておく。
【００８０】
ＵＥは、予め通知されたタイミング以外において、スケジューリング情報を含んだシグナリングを受信した場合は、スケジューリング情報に従ってパケットを受信する。一方、スケジューリング情報を受信できなかった場合は、予め通知されているリソース割当情報に従ってパケットを受信する。また、ＵＥは、予め通知されているタイミングにおいて、スケジューリング情報を受信できなかった場合には、パケットのＨＡＲＱ合成を停止する。
【００８１】
このように実施の形態３によれば、スケジューリング情報のシグナリングタイミングを基地局からＵＥに予め通知しておき、ＵＥは通知されたシグナリングタイミングにおいてスケジューリング情報の受信に失敗した場合、パケットのＨＡＲＱ合成を停止することにより、他ＵＥの受信パケットとの合成を回避することができる。
【００８２】
なお、上記各実施の形態において説明したスケジューリング情報のシグナリングタイミングは、図８に示すように、連続する再送タイミングであってもよい。これにより、スケジューリング情報のシグナリングタイミングにおけるスケジューリング情報の受信誤りを低減することができる。
【００８３】
また、スケジューリング情報のシグナリングタイミングは、最大再送回数までに複数回あってもよい。また、スケジューリング情報のシグナリングタイミングは、セル毎に設定
されてもよい。
【００８４】
また、スケジューリング情報のシグナリングタイミングは、基準となるタイミングと、この基準のタイミングとの差分とによって表されてもよい。このとき、基準のタイミングを報知チャネル（例えば、ＢＣＨ（Broadcast Channel））によって通知し、基準のタイミングとの差分をＵＥ毎に通知してもよい。これにより、ＵＥ毎に送信するシグナリングのビット数を低減することができる。
【００８５】
また、スケジューリング情報のシグナリングタイミングは、同一セル内のＵＥ毎に異なるタイミングとなるように、ＵＥ毎に異なるオフセットをシグナリングタイミングに付加してもよい。これにより、スケジューリング情報のシグナリングタイミングの発生を時間的に分散することができる。従って、下り制御チャネル（例えば、ＰＤＣＣＨ（Physical
Dedicated Control Channel））の収容可能数を超えてスケジューリング情報が送信される確率を低減することができる。すなわち、スケジューリング情報が送信されず、スケジューリングされないＵＥの発生確率を低減することができるので、スループットの低下を抑制することができる。
【００８６】
また、パケットの断片化（Fragmentation）の発生が少ない場合などでは、図９に示すように、スケジューリング情報のシグナリングタイミング以外はスケジューリング情報を全く送信しない、すなわち、ノンアダプティブＨＡＲＱを適用してもよい。これにより、再送時のＵＥ間のパケットの衝突を回避することができる。
【００８７】
また、ノンアダプティブＨＡＲＱの適用に関して、スケジューリング情報のシグナリングタイミングにおいて、ＵＥがスケジューリング情報を取得できなかった場合、次のノンアダプティブＨＡＲＱの再送タイミングでは、プリディファインされているリソースを介して再送パケットを送信する方法が考えられる。あるいは、ＵＥがスケジューリング情報を取得できなかった場合、次にスケジューリング情報がシグナリングされるまでパケットの送信を停止する方法が考えられる。
【００８８】
なお、基地局はＮｏｄｅＢ、あるいはｅＮｏｄｅＢと表現されることもある。
【００８９】
また、上記各実施の形態では、本発明をハードウェアで構成する場合を例にとって説明したが、本発明はソフトウェアで実現することも可能である。
【００９０】
また、上記各実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００９１】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００９２】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【００９３】
２００８年９月２９日出願の特願２００８−２５０６１６の日本出願に含まれる明細書、図面及び要約書の開示内容は、すべて本願に援用される。
【産業上の利用可能性】
【００９４】
本発明にかかる無線送信装置及び無線送信方法は、例えば、移動通信システム等に適用できる。
【手続補正２】
【補正対象書類名】特許請求の範囲
【補正対象項目名】全文
【補正方法】変更
【補正の内容】
【特許請求の範囲】
【請求項１】
スケジューリング情報を取得するタイミングと前記スケジューリング情報の取得の有無とに基づいて、リソースを制御するリソース制御情報を生成するリソース制御手段と、
前記リソース制御情報に基づいて、リソースを選択するリソース選択手段と、
選択された前記リソースを用いてデータを送信する送信手段と、
を具備し、
前記リソース制御手段は、前記タイミングにおいて前記スケジューリング情報が取得されない場合、前記データの送信停止を指示する無線送信装置。
【請求項２】
前記リソース制御手段は、Ｎ回目の再送において前記スケジューリング情報を取得する請求項１に記載の無線送信装置。
【請求項３】
前記リソース制御手段は、送信するデータのトランスポートブロックサイズと関連付けられた前記タイミングにおいて、前記スケジューリング情報が取得されない場合、前記データの送信停止を指示する請求項１に記載の無線送信装置。
【請求項４】
前記リソース制御手段は、送信するデータのＱｏＳディレイと関連付けられた前記タイミングにおいて、前記スケジューリング情報が取得されない場合、前記データの送信停止を指示する請求項１に記載の無線送信装置。
【請求項５】
前記リソース制御手段は、送信するデータに対する周波数ホッピングの有無と関連付けられた前記タイミングにおいて、前記スケジューリング情報が取得されない場合、前記データの送信停止を指示する請求項１に記載の無線送信装置。
【請求項６】
前記リソース制御手段は、送受信間のパスロスと関連付けられた前記タイミングにおいて、前記スケジューリング情報が取得されない場合、前記データの送信停止を指示する請求項１に記載の無線送信装置。
【請求項７】
スケジューリング情報を取得するタイミングと前記スケジューリング情報の取得の有無とに基づいて、リソースを制御するリソース制御情報を生成するリソース制御工程と、
前記リソース制御情報に基づいて、リソースを選択するリソース選択工程と、
選択された前記リソースを用いてデータを送信する送信工程と、
を具備し、
前記リソース制御工程は、前記タイミングにおいて前記スケジューリング情報が取得されない場合、前記データの送信停止を指示する無線送信方法。
【手続補正３】
【補正対象書類名】図面
【補正対象項目名】全図
【補正方法】変更
【補正の内容】
【図１】
2010035496.tif 000012
【図２】
2010035496.tif 000013
【図３】
2010035496.tif 000014
【図４】
2010035496.tif 000015
【図５】
2010035496.tif 000016
【図６】
2010035496.tif 000017
【図７】
2010035496.tif 000018
【図８】
2010035496.tif 000019
【図９】
2010035496.tif 000020
【国際調査報告】
2010035496.tif 000021
2010035496.tif 000022